(57)【要約】  飼料添加物、肥料等のような生産性向上製品や生産性向上方式を価格設定する方法であって、エンドユーザのための生産性向上製品や生産性向上方式と、エンドユーザによって受け取られることが期待されまたは受け取られている価格とによって、期待されまたは得られる付加利益に対する考慮を伴う方法。また、このような価格設定方法が使用されるプログラムおよびシステムも開示されている。【特許請求の範囲】
【請求項１】
農産物の成長を改善する際に使用される生産性向上製品を価格設定する方法であって、
価格設定計算が行われることになる各市場価格を決定するステップと、
生産性向上製品を使用することなく成長した農産物の単位量当たりの平均値を決定するステップと、
各市場価格で販売される農産物の単位の数を決定するステップと、
その市場価格において単価当たりの基準値を得るように、生産性向上製品を使用することなく成長した農産物の単位量当たりの平均値を各市場価格に掛けるステップと、
その市場価格について標準収入額を決定するように、その市場価格で販売される単位の数を各市場価格の単価当たりの基準値に掛けるステップと、
生産性向上製品を用いた農産物の成長に帰するその市場価格について増収を決定するように、生産性向上製品を使用して成長しかつその市場価格で販売される農産物の売上高に由来する期待される収入または実際の収入から各市場価格による標準収入額を差し引くステップと、
各市場価格についての増収に基づいて生産性向上製品の価格を計算するステップと
を含む、方法。
【請求項２】
価格設定計算が少なくとも１つの先物価格に基づいて行われることになる各市場価格を決定するステップを含む、請求項１に記載の方法。
【請求項３】
計算が、所定の価格設定比を増収に掛けるステップを含む、請求項１に記載の方法。
【請求項４】
所定の価格設定比が６７パーセントである、請求項３に記載の方法。
【請求項５】
農産物が家畜であり、生産性向上製品が食品添加物である、請求項１に記載の方法。
【請求項６】
家畜が、肉牛、豚、または羊である、請求項５に記載の方法。
【請求項７】
各市場価格が単位重量当たりの価格である、請求項５に記載の方法。
【請求項８】
単位量当たりの平均値が、平均の動物体重である、請求項７に記載の方法。
【請求項９】
平均の動物体重が、平均の生きた動物体重、または平均枝肉重量である、請求項８に記載の方法。
【請求項１０】
農産物が農作物である、請求項１に記載の方法。
【請求項１１】
価格を計算するステップが、生産性向上製品がエンドユーザに供給される前に発生する、請求項１に記載の方法。
【請求項１２】
価格を計算するステップが、生産性向上製品がエンドユーザに供給された後に発生する、請求項１に記載の方法。
【請求項１３】
農業収入を増加させる際に使用するための、レシピエントへソースによって供給される生産性向上製品を価格設定する方法であって、
生産性向上製品を用いて成長し、レシピエントによって販売される農産物を定量化するステップと、
生産性向上製品を使用することなく成長した農産物の量についての標準収入額を決定するステップと、
生産性向上製品または生産性向上技術を用いて成長した農産物の量について期待されるまたは実際の収入額を決定するステップと、
標準収入額と期待されるまたは実際の収入額との間の差に基づいて生産性向上製品の価格を計算するステップと
を含む、方法。
【請求項１４】
標準収入額を決定するステップが、先物価格に基づいて標準収入額を決定するステップを含む、請求項１３に記載の方法。
【請求項１５】
標準収入額を決定するステップが、
生産性向上製品を使用することなく成長した農産物の平均の価格設定量を決定するステップと、
価格が農産物ごとに標準価格を決定するように計算されている農産物の販売量についてレシピエントによって得られる単位当たりの市場価格を平均の価格設定量に掛けるステップと、
単位当たりの市場価格で販売される生産性向上製品を用いて成長した農産物の数を決定するステップと、
農産物ごとの標準価格を、生産性向上製品を用いて成長した農産物の数に掛けるステップと
を含む、請求項１３に記載の方法。
【請求項１６】
単位当たりの市場価格が先物価格に基づく、請求項１５に記載の方法。
【請求項１７】
価格を計算するステップが、
所定の価格設定比を、標準収入額と期待されるまたは実際の収入額との間の差に掛けるステップを含む、請求項１５に記載の方法。
【請求項１８】
価格を計算するステップが、対価が不釣合いに加えられている農産物の一部を考慮するステップを含む、請求項１３に記載の方法。
【請求項１９】
一部を考慮するステップが、対価が不釣合いに加えられている家畜の一部を考慮するステップを含む、請求項１８に記載の方法。
【請求項２０】
一部を考慮するステップが、対価が不釣合いに加えられている肉の切り身を考慮するステップを含む、請求項１９に記載の方法。
【請求項２１】
農業収量性を増大させるように使用される生産性向上製品を価格設定するためのプログラムであって、
生産性向上製品を使用することなく成長した農産物の標準収入額を決定するための要素と、
標準収入額と、生産性向上製品を用いて成長した農産物の売上高から得られる期待されるまたは実際の収入額との間の差に基づいて価格を計算するための要素と
を含む、プログラム。
【請求項２２】
標準収入額が先物価格に基づく、請求項２１に記載のプログラム。
【請求項２３】
標準収入額を決定するための要素が、標準の、単位当たりの農産物価格を決定する、請求項２１に記載のプログラム。
【請求項２４】
標準収入額を決定するための要素が、当該時間中に農産物の単価当たりの公表された平均値を決定する、請求項２３に記載のプログラム。
【請求項２５】
標準収入額を決定するための要素が、農産物の標準化された平均収量をさらに決定する、請求項２３に記載のプログラム。
【請求項２６】
標準収入額を決定するための要素が、販売されておりかつ生産性向上製品を用いて成長した農産物の標準収入額を計算する際に、標準化された平均収量、および標準の、単位当たり価格を考慮する、請求項２５に記載のプログラム。
【請求項２７】
農業収量性の増大に代金を支払う方法であって、
レシピエントへの初期コストなしでソースからレシピエントに、農産物の成長の際に使用される生産性向上製品を移送するステップと、
農産物を成長させるように生産性向上製品を使用するステップと、
農産物を販売するステップと、
生産性向上製品の使用に由来する金銭的利益を決定するステップと、
農産物が販売されてしまった後にレシピエントからソースに金銭的利益の一部を移転するステップと
を含む、方法。
【請求項２８】
食品添加物がレシピエントに移送され、動物が食品添加物で処理される、請求項２７に記載の方法。
【請求項２９】
動物についての期待されるまたは実際の販売に由来する金銭的利益が、
全体的な期待されるまたは得られる体重による利益を決定するように、各処置動物の平均体重を、標準の処置されていない動物の体重と比較するステップと、
全体的な期待されるまたは得られる体重による利益の金銭的価値を決定するステップと、
金銭的価値および所定の価格設定方式に基づいて生産性向上製品の価格を計算するステップと
によって少なくとも一部分が決定される、請求項２８に記載の方法。
【請求項３０】
金銭的価値を決定するステップが、先物価格に基づいて金銭的価値を決定するステップを含む、請求項２９に記載の方法。
【請求項３１】
生産性向上製品を価格設定するためのシステムであって、
生産性向上製品を用いて成長した農産物の総量を決定するための定量化要素と、
成長した上記総量に少なくとも部分的に基づいて生産性向上製品を価格設定するための演算部と
を含む、システム。
【請求項３２】
演算部が、先物価格に基づいて生産性向上製品を価格設定する、請求項３１に記載のシステム。
【請求項３３】
生産性向上製品を価格設定する方法であって、
ベースライン効率を決定するステップと、
ベースライン効率に対応するベースライン単価を決定するステップと、
生産性向上製品の使用に基づく付加効率を決定するステップと、
ベースライン効率と付加効率の和に対応する向上した単価を決定するステップと、
向上した単価とベースライン単価との間の差に基づいて生産性向上製品の価格を計算するステップと
を含む、方法。
【請求項３４】
生産性向上製品を価格設定する方法であって、
生産性向上製品を使用する場合に得ることができる向上した対価を定量化するステップと、
向上した対価を、生産性向上製品を使用することなく得ることができるベースライン対価と比較するステップと、
向上した対価をベースライン対価と比較するステップに基づいて生産性向上製品の価格を計算するステップと
を含む、方法。
【請求項３５】
生産性向上製品を価格設定するためのプログラムであって、
生産性向上製品を使用することなく得ることができるベースライン効率を決定するための要素と、
生産性向上製品を使用する場合に得ることができる向上した効率を決定するための要素と、
向上した効率をベースライン効率と比較することによって生産性向上製品の価格を計算するための要素と
を含む、プログラム。
【請求項３６】
生産性向上製品の使用による効率の増大に代金を支払う方法であって、
ソースからレシピエントに生産性向上製品を移送するステップと、
レシピエントの業務の間、生産性向上製品を使用するステップと、
生産性向上製品をレシピエントが使用することに由来する金銭的利益を決定するステップと、
レシピエントからソースに金銭的利益の一部を移転するステップと
を含む、方法。
【請求項３７】
生産性向上製品を移送するステップが、レシピエントへの初期コストなしで発生する、請求項３６に記載の方法。
【請求項３８】
金銭的利益の一部を移転するステップが、金銭的利益がレシピエントによって得られた後に発生する、請求項３７に記載の方法。
【請求項３９】
金銭的利益を決定するステップが、レシピエントのために期待される金銭的利益を見積もるステップを含む、請求項３６に記載の方法。
【請求項４０】
金銭的利益の一部を移転するステップが、レシピエントが金銭的利益を得る前に発生する、請求項３９に記載の方法。
【請求項４１】
金銭的利益の一部を移転するステップが、生産性向上製品を移送するステップと実質的に同時に発生する、請求項４０に記載の方法。
【請求項４２】
生産性向上製品または生産性向上技術を価格設定するためのシステムであって、
生産性向上製品または生産性向上技術を用いることによって得られる向上した効率を決定するための定量化要素と、
向上した効率に少なくとも部分的に基づいて生産性向上製品または生産性向上技術を価格設定するための演算部と
を含む、システム。
【発明の詳細な説明】
【技術分野】
【０００１】
本出願は、３５Ｕ．Ｓ．Ｃ．§１１９（ｅ）によって、２００７年２月８日に出願した米国仮特許出願第６０／９００，４７８号の優先権の利益を主張するものであり、ここに、その開示は、この参照により本明細書に全体として組み込まれている。
【０００２】
本発明は、一般に、生産効率や製造効率の改善をもたらす製品や方式を価格設定するための方法およびシステムなどの、いかなる用途にも適した結果ベースの価格設定方法およびシステムに関する。例えば、本発明は、家畜に投与するための飼料添加物などの農産物の成長を促進しまたは向上させる製品を価格設定するための方法およびシステム、より詳細には、この種の生産性向上製品を価格設定するための、結果ベースの方法およびシステムに関する。
【背景技術】
【０００３】
従来、飼料添加物、肥料、および農産物の成長を促進しまたは向上させる他の製品は、エンドユーザ（例えば、牧場労働者、農家、他の農作業者等）への配送時に固定価格で慣用の方法でエンドユーザに販売されていた。通常、成長促進製品の価格は、一括価格、単位当たり価格（例えば、単位重量当たりの価格、体積当たりの価格等）などに基づいている。
【０００４】
農産品についての実勢価格および先物価格は、絶えず変動している。特定の農産物の価格が特に安い場合、農業ビジネスは、固定価格で販売される成長促進製品にお金を使うのを一層好まないものである。
【発明の概要】
【発明が解決しようとする課題】
【０００５】
したがって、農産物に対して農業ビジネスが受け取ることができる対価の変化に相当する柔軟性を農業ビジネスに提供する、価格設定システムが必要とされている。
【課題を解決するための手段】
【０００６】
本発明は、農産物の成長を含むがこれに限定されない、製造効率や生産効率を促進しまたは向上させる商品や技術を価格設定するための方法およびシステムを含むものである。特殊化された装置、あるいは特定の材料、プロセス、またはプログラムの使用を含む場合があるこの種の商品および技術は、簡単化のために本明細書において「生産性向上製品」と集合的に呼ばれる。
【０００７】
本発明の教示を採り入れる方法では、農業ビジネス（例えば、大牧場、農場等）などのエンドユーザやレシピエントは、エンドユーザのために期待されるまたは実際の付加（例えば、財務上の）利益に相当する価格で供給業者やソースから生産性向上製品（例えば、飼料添加物、肥料等）を得ることができる。生産性向上製品の価格は、エンドユーザのために期待されるまたは実際の付加利益のうちの所定の部分に基づくことができる。
【０００８】
他の態様では、本発明は、農産物を成長するために使用されている生産性向上製品の価格を定量化するためのプログラム（例えば、コンピュータプログラム等）を含んでいる。
【０００９】
他の態様によれば、本発明は、生産性向上製品によってエンドユーザに提供される期待されるまたは実際の付加利益を決定するためのシステムを含む。このようなシステムは、例えば、生産性向上製品を用いて成長した農産物の総量を決定するための定量化要素、ならびにいくつかの変動因子に基づいて生産性向上製品の価格を設定するための演算部を含み、これは、生産性向上製品を用いて成長した総量を含むことができる。一例として、演算部は、歴史的に生産性向上製品なしで成長した量などの対応する「標準化された」量と総量を比較するために、および「標準化された」量の対価と総量についての実際のまたは期待される対価を比較するために構成され、またはプログラムされ得る。このような比較は、エンドユーザによって受け取られることが期待され、または実際に受け取られている付加利益の対価を提供する。また、演算要素は、生産性向上製品の供給業者に送られることになる付加利益の一部も計算することができる。
【００１０】
他の特徴および利点は、次の説明、添付の図面、および添付の特許請求の範囲を考慮することによって当業者に明らかになるであろう。
【００１１】
図面に関して、これらの図面は、本発明のさまざまな態様についての実施形態を示している。
【図面の簡単な説明】
【００１２】
【図１】農産物の成長を促進しまたは向上させるなどして本発明により生産性を向上させる方法についての実施形態を示すフローチャートである。
【図２】生産性向上製品の利益および価格が本発明の教示に従って定量化され得る方法の例を示すフローチャートである。
【図３】本発明の教示を採り入れているシステムの実施形態の概略図である。
【発明を実施するための形態】
【００１３】
図１および図２のフローチャートは特定の順序の場合のさまざまな行為を示しているが、示された順序は、行為が行われ得る方法の例として単に考えられるべきであり、示された順序において行為が行われることを要求しているとして考えられるべきでない。
【００１４】
図１を参照すると、農産物（例えば、家畜、農作物等）、または「生産性向上製品」の成長を促進しまたは向上させるように意図される製品（例えば、飼料添加物、肥料等）や技術を価格設定するための方法の実施形態が示されている。
【００１５】
図１の参照符号１２において、供給業者は、１つまたは複数の生産性向上製品をエンドユーザに提供する。この譲渡は、使用上の注意の引き渡しを伴う場合がある。初期の取引中に生産性向上製品の代金が支払われない場合、エンドユーザはやはり、エンドユーザの受取りおよび／または生産性向上製品の使用、ならびに生産性向上製品を用いて成長した農産物の販売による供給業者に対するエンドユーザの債務についての条件を設定している契約を履行することが要求され得る。このような契約は、任意の付加利益、ならびに供給業者に対してエンドユーザにより支払われるべき付加利益の一部が計算されるべき方法を含むが、これに限定されないさまざまな追加条件を記載することができる。
【００１６】
そのうえ、供給業者とエンドユーザとの間の初期の取引は、生産性向上製品がエンドユーザによって使用されることになる農産物の量（例えば、家畜の「頭数」、作付けの規模（例えば、エーカー数）等）を数えた後に行われる場合もあり、あるいは数えた際に行われる場合もある。この種の情報は、エンドユーザに提供されるべき生産性向上製品の量を決定するのに使用される場合がある。
【００１７】
いったん初期の取引が発生すると、エンドユーザは、図１の参照符号１４で示されるように農産物を成長させるために生産性向上製品を使用する。この種の使用の詳細は、供給業者がエンドユーザに提供した指令に従うことがあり、取決めの条件が適用されることがあり、供給業者や指定された第三者、あるいは前に挙げたものの任意の組み合わされたものに報告されることがある。生産性向上製品の使用は、生産性向上製品の利益の最適化を促進するように、供給業者や指定された第三者による連続した指令、またはそれからの入力が伴う場合がある。
【００１８】
いったん農産物の成長期が終了する（例えば、家畜が所定の年齢に達している、家畜が市場に連れてこられる、農作物が収穫される、その他）と、農産物は、図１の参照符号１６で示されるように販売され、または「市場に持って行かれる」。農産物の販売は、任意の方法で、および販売されている農産物のタイプについて受け入れ可能であるような関連する農業分野で一般に認められるいかなる状況でも行われることができ、あるいは、供給業者とエンドユーザとの間の任意の事前の取決め（例えば、上述の交渉）の条件が適用され得る。
【００１９】
生産性向上製品がエンドユーザに提供する利益は、図１の参照符号１８において定量化される。定量化のこの行為は、過去の結果、先物取引、または他の対価に基づいて予測されることができ、または生産性向上製品を用いて成長した農産物の販売中またはその販売後に起こり得る。この種の定量化は、供給業者によって指令される条件、または供給業者とエンドユーザが以前に（例えば、前述の契約において）同意した条件を含むがこれに限定されない任意の方法で行われてもよい。
【００２０】
エンドユーザが受け取ることが期待でき、または生産性向上製品の使用によって受け取っている利益を定量化する方法の実施形態が、図２のフローチャートに示されている。
【００２１】
図２の参照符号２０において、生産性向上製品を用いて成長することになり、または成長し、かつエンドユーザによって販売された農産物が列挙される。この種の列挙は、家畜の頭数、作付けのエーカー等のような各単位に関して行われ得る。この列挙は、供給業者とエンドユーザとの間の初期の取引前に、または初期の取引中に（例えば、図１の参照符号１２において）、あるいはもっと後の時点で行うことができる。
【００２２】
図２の参照符号２２において、列挙された農産物の対価は、農産物の価格設定が基づく条件（例えば、重量、体積等）で定量化される。この種の定量化は、単位当たり（例えば、家畜の１頭当たり、作付けの１エーカー当たり等）の収入額の決定を含むことができ、これは、総収入を、生産性向上製品を用いて成長した単位の数で割ることによって決定され得る。総収入は、生産性向上製品を用いて成長することになる農産物の販売または売上高（これは、同様な農産物の過去の売上高、先物価格等に基づく場合がある）による総期待収入、あるいは生産性向上製品を用いて成長した農産物の販売または売上高によって受け取った実収入であってもよい。
【００２３】
図２の参照符号２４において、単位当たりの基準定量化量（例えば、１頭当たりの家畜の体重、１エーカー当たりの作付け量等）は、エンドユーザによって販売された農産物と同じタイプの、生産性向上製品を用いて成長していない農産物について決定される。基準定量化量は、非公式に収集されたデータ（例えば、供給業者によって収集されたデータ）、Ｕｎｉｔｅｄ  Ｓｔａｔｅｓ  Ｄｅｐａｒｔｍｅｎｔ  ｏｆ  Ａｇｒｉｃｕｌｔｕｒｅ（ＵＳＤＡ）、ＣＡＴＴＬＥＭＥＮＴ、または任意の他のソースからの情報を限定なしで含むさまざまなソースから得られたデータによって決定され、またはこれらに由来することができる。あるいは、基準定量化量は、所定の量、または供給業者とエンドユーザとの間で（例えば、前述の契約において、もっと後の時点等において）同意される任意の他の量であってもよい。
【００２４】
また「エクスターナルプライシングポイント（ｅｘｔｅｒｎａｌ  ｐｒｉｃｉｎｇ  ｐｏｉｎｔ）」（ＥＰＰ）と呼ばれる単位当たりの基準額は、図２の参照符号２６において単位当たりの基準定量化量に割り当てられ得る。単位当たりの基準額は、生産性向上製品を用いて成長しなかった、かつ所定の期間に販売された農産物の単位当たりの（例えば、１頭当たりの、重量当たりの、体積当たりの）価格を決定することが含まれるがこれに限定されない、いくつかの方法で決定され得る。本発明の範囲を限定することなく、このような期間は、生産性向上製品がエンドユーザに提供される前の設定期間（例えば、年、月、週、日等）、エンドユーザが生産性向上製品を用いて成長した農産物を販売する前の設定期間（例えば、年、月、週、日等）、同じ日に同じ農産物について受け取った価格または平均価格、エンドユーザによってまたは他の任意の適切な方法で実際に受け取られた価格を含むことができる。あるいは、単位当たりの基準額は、農産物のエンドユーザの販売の前に（例えば、前述の契約において、もっと後の時点等において）供給業者とエンドユーザとの間で同意されている額であってもよい。このような価格は、同じタイプの農産物の事前の売上高、そのタイプの農産物（例えば、牛肉、または生牛先物等）の先物価格、ミートパッカーにより提供される特定の「グリッド」価格、または任意の他の受け入れ可能な価格に基づくことができる。
【００２５】
もちろん、単位当たりの基準額は、単位当たりの基準定量化量に応じて標準化される。一例として、単位当たりの基準定量化量が重量に関するものである場合、単位重量（例えば、ポンド、キログラム等）当たりの価格をその重量に掛けて、単位当たりの基準額を決定することができる。
【００２６】
次に、単位当たりの基準額と単位当たりの収入額が、生産性向上製品の価格を決定するために図２の参照符号２８において比較される。価格は、一連の計算によって、またはより簡単には、単位重量当たりの価格を付加価値「価格設定係数（ｐｒｉｃｉｎｇ  ｆａｃｔｏｒ）」に掛けることによって決定され得る。
【００２７】
このような計算が行われ得る方法の実施例は次のようである。
【実施例１】
【００２８】
Ｍｉｌｌｓｂｏｒｏ，ＤｅｌａｗａｒｅのＩｎｔｅｒｖｅｔ，Ｉｎｃ．から入手できる生産性向上製品ＺＩＬＭＡＸ（Ｒ）は、５ヶ月の給餌期間のうちの最後の３０日間に１日１頭当たり７５ｍｇの割合で、畜牛に餌として与えられるべきである。したがって、畜牛の各１頭は、屠殺され販売される前に約２．２５ｇの生産性向上製品を与えられることになる。
【００２９】
平均の肉牛枝肉重量（すなわち、単位当たりの基準定量化量）は、ＵＳＤＡにより公表されたデータから決定される。生産性向上製品が投与された畜牛の平均枝肉重量と比較した場合、販売時に、生産性向上製品が投与された畜牛の１頭当たりの平均枝肉重量は、生産性向上製品を与えられなかった畜牛の平均枝肉重量を２５ポンド上回っていることが測定されている。
【００３０】
単位当たりの基準額は、ＵＳＤＡにより公表された平均の肉牛の枝肉価格（例えば、枝肉１００ポンド当たり１４０ドル）として決定される。枝肉当たりの付加価値は、ポンド当たり１．４０ドルを枝肉当たり２５ポンドに掛けることによって計算され、これは、枝肉当たり３５ドルに等しい。供給業者は、付加価値のうちの６７％を受け取り、これは、枝肉当たり２３．４５ドル、または生産性向上製品の２．２５ｇ当たり２３．４５ドルになる。
【００３１】
活性成分として生産性向上製品を含む飼料の１バッグ当たりの価格は、飼料の各バッグ内の活性成分の量をグラム当たりの価格（すなわち、この実施例では、２３．４５ドル／２．２５＝１０．４２２２．．．ドル）に掛けることによって決定される（この実施例では、飼料の各１０Ｋｇバッグ内に４８０ｇがあり、これは、１０Ｋｇバッグ当たり５００２．６７ドルの価格になる）。
【００３２】
この計算は、価格設定係数を提供することによって圧縮されることができ、これは、所定の枝肉重量、価格設定、および利益額に基づくものであり、枝肉の単位重量当たりの対価に（例えば、枝肉重量１００ポンド当たりのドルに換算して）標準化され得る。この実施例では、上述のデータに基づく価格設定係数は３５．７に四捨五入することができ、これは、１４０ドルの平均枝肉価格／枝肉１００ポンドが掛けられると、飼料バッグ当たり４，９９８ドルのコストになる。
【実施例２】
【００３３】
再度言うが、生産性向上製品ＺＩＬＭＡＸ（Ｒ）は、３０日間に１日１頭当たり７５ｍｇの割合で、畜牛に餌として与えられるべきである。したがって、畜牛の各１頭は、屠殺され販売される前に約２．２５ｇの生産性向上製品を与えられることになる。
【００３４】
生産性向上製品の各バッグのコストは、生体重の特定部分（例えば、６２．５％）が有用な枝肉重量を提供するであろうという仮定のもとに、生牛体重（例えば、生牛先物等）に基づくことになる。この特定の部分は、本明細書において農産物の「有用なパーセンテージ」と呼ばれる。１動物当たりの、または生産性向上製品の投与量（例えば、２．２５ｇ）当たりのエンドユーザのための生産性向上製品のコストを決定するために、ポンド当たりの生牛体重は、有用なパーセンテージと、平均の（畜牛１頭当たりの）付加体重と、価格設定比（例えば、６７％、２／３等）とが掛けられる。
【００３５】
次いで、生産性向上製品の１動物当たりのコストは、生産性向上製品を含む飼料の１バッグの価格を決定するために使用され得る。
【実施例３】
【００３６】
また、価格設定方法は、付加されたプレミアムに基づくこともできる。エンドユーザが受け取ることを期待することができ、またはＺＩＬＭＡＸ（Ｒ）などの生産性向上製品が畜牛に投与される場合にエンドユーザによって受け取られている付加利益に関する実施例では、生産性向上製品の価格設定は、単位重量当たりの対価の増加に基づくことができる。このような計算は、金銭的価値の少ない肉の切り身（例えば、チャックロースト）に対して処置畜牛での金銭的価値のある肉の切り身（例えば、ステーキ）の増加（例えば、不釣合いな増加）を考慮したものとなり得る。
【００３７】
再び図１を参照すると、その参照符号３０においてエンドユーザは、生産性向上製品について供給業者に代金を支払う。前述の実施例で示したように、この種の支払いの価格設定は、エンドユーザに供給された生産性向上製品の量、農産物が使用されることになる単位（家畜の頭数、作付けのエーカー等）の数、実際に得られた利益に、または任意の他の方法に基づくことができる。この種の支払いは、初期の取引時に、生産性向上製品を用いて成長した農産物が販売されてしまった後に、または任意の他の同意の時に行われ得る。
【００３８】
また、本発明は、本発明の教示を採り入れる価格設定方法を行うように構成されるコンピュータプログラムおよびシステムも含んでいる。
【００３９】
本発明によるシステム１００の実施形態についてのこれに限定されない実施例が、図３に示されている。システム１００は、生産性向上製品を用いて成長することが期待され、またはこれを用いて成長した農産物の総量を決定するための定量化要素１１０、ならびに演算部１２０を含む。
【００４０】
一例として、定量化要素１１０は、スケールを含むことができる。別の例としては、定量化要素１１０は、生産性向上製品を使用する期待された付加利益に関するデータが入手され得る要素であってもよい。この種の要素の例は、コンピュータシステム、通信装置（例えば、携帯電話等）、刊行物等をこれらに限定することなく含むものである。
【００４１】
演算部１２０は、いくつかの変動因子に基づいて生産性向上製品の価格を設定するように構成され、またはプログラムされ得る。例えば、演算部は、総量を、対応する「標準化された」量と比較するために、エンドユーザが総量について受け取ることを期待することができ、または実際に受け取っている対価を「標準化された」量の対価と比較するために、エンドユーザが受け取ることを期待することができ、またはエンドユーザが実際に受け取っている付加利益に対応する対価を決定するために、および生産性向上製品の供給業者に送られることになる付加利益の一部を計算するために、構成され、またはプログラムされ得る。他の実施例のように、演算部は、価格設定係数に基づいて生産性向上製品の価格を計算するように構成され、またはプログラムされてもよく、これは、エンドユーザが受け取ることを期待できる単価が掛けられ得る。本発明の範囲を限定することなく、演算部１２０は、コンピュータシステム、計算機、または簡単には筆記具および書き付けられるべき要素（例えば、紙切れ）を含むことができる。
【００４２】
上述の説明は多くの細目を含んでいるが、これらは、本発明の範囲を限定するものとして解釈されるべきではなく、単に、現在の好ましい実施形態のいくつかの例示を提供するものとして解釈されるべきである。同様に、本発明の趣旨または範囲を逸脱しない本発明の他の実施形態が案出され得る。異なる実施形態による特徴は、組み合わせて使用され得る。したがって、本発明の範囲は、上述の説明によってではなく、添付の特許請求の範囲およびこれらの法律上の均等物によってのみ示されかつ限定される。これによって、特許請求の範囲の趣旨および範囲に属する本明細書における開示のように、本発明に関するすべての付加、削除、および改変が包含されることになる。
【手続補正書】
【提出日】平成21年10月8日(2009.10.8)
【手続補正１】
【補正対象書類名】図面
【補正対象項目名】全図
【補正方法】変更
【補正の内容】
【図１】
2010532505.tif 000002
【図２】
2010532505.tif 000003
【図３】
2010532505.tif 000004
【国際調査報告】
2010532505.tif 000005